(57)【特許請求の範囲】
【請求項１】
車両の走行状況を表す走行情報を取得する情報取得手段と、
前記情報取得手段が取得した前記走行情報を表示するよう表示部を制御する情報表示制御手段と、
前記情報表示制御手段によって制御された前記表示部において前記走行情報を表示する表示領域の表示位置を変更するよう前記表示部を制御する変更表示制御手段と、
前記変更表示制御手段が前記表示領域の前記表示位置を変更させると、前記表示領域に表示された前記走行情報を説明する説明画像を表示するよう前記表示部を制御する説明表示制御手段と、
前記説明表示制御手段が表示させた前記説明画像によって説明される前記走行情報を表示する前記表示領域の範囲を表す範囲画像を表示するよう前記表示部を制御する範囲表示制御手段と、
を備え、
前記説明表示制御手段は、前記説明画像の表示を開始させてから所定の時間を経過した後に、前記説明画像の表示を終了するよう前記表示部をさらに制御し、
前記範囲表示制御手段は、前記範囲画像の表示を開始させてから所定の時間を経過した後に、前記範囲画像の表示を終了するよう前記表示部をさらに制御することを特徴とする表示制御装置。
【請求項２】
前記走行情報は、前記車両の第１走行状況を表す第１走行情報と、前記車両の第２走行状況を表す第２走行情報とを含み、
前記表示領域は、前記第１走行情報を表示し、
前記情報表示制御手段は、前記変更表示制御手段によって前記表示領域の表示位置が変化させられると、表示位置の変更前に前記表示領域が位置していた領域に前記第２走行情報を表示するよう前記表示部をさらに制御し、
前記説明表示制御手段は、前記情報表示制御手段が表示させた前記第２走行情報を説明する説明画像を表示するよう前記表示部をさらに制御し、
前記範囲表示制御手段は、前記説明表示制御手段が表示させた前記説明画像によって説明される前記第２走行情報を表示する領域の範囲を表す範囲画像を表示するよう前記表示部をさらに制御する、
ことを特徴とする請求項１に記載の表示制御装置。
【請求項３】
前記車両の走行状況は、前記車両の状態と、前記車両が走行する走行路とを含み、
前記第１走行情報は、前記車両の状態を表す状態情報であり、
前記第２走行情報は、前記車両が走行する走行路を表示することで、前記車両の運転を補助する補助情報であり、
前記表示部の表示モードを、前記補助情報を表示するモードへ切り替えるよう指示する切替指示信号を取得する切替指示信号取得手段をさらに備え、
前記変更表示制御手段は、前記切替指示信号取得手段が前記切替指示信号を取得すると、前記状態情報を表示する前記表示領域の前記表示位置を変更するよう前記表示部を制御する、
ことを特徴とする請求項２に記載の表示制御装置。
【請求項４】
前記第１走行情報である前記状態情報は、前記車両の第１状態を表す第１状態情報と、前記車両の第２状態を表す第２状態情報とを含み、
前記第１走行情報を表示する前記表示領域は、前記第１状態情報を表示する第１表示領域と、前記第２状態情報を表示する第２表示領域とを含み、
前記第１表示領域は、前記第２表示領域よりも前記表示部の表示方向に向かって右側に位置し、
前記変更表示制御手段は、前記第１表示領域の表示位置を前記表示部の表示方向に向かって右側へ変更するよう前記表示部を制御すると共に、前記第２表示領域の表示位置を前記表示部の表示方向に向かって左側へ変更するよう前記表示部を制御し、
前記情報表示制御手段は、表示位置を変更された前記第１表示領域と前記第２表示領域との間の位置に前記第２走行情報である前記補助情報を表示するよう前記表示部を制御し、
前記説明表示制御手段は、前記情報表示制御手段が表示させた前記第２状態情報を説明する説明画像を表示するよう前記表示部をさらに制御し、
前記範囲表示制御手段は、前記説明表示制御手段が表示させた前記説明画像によって説明される前記第２状態情報を表示する領域の範囲を表す範囲画像を表示するよう前記表示部をさらに制御する、
ことを特徴とする請求項３に記載の表示制御装置。
【請求項５】
前記第１走行情報である前記状態情報は、前記車両の第１状態を表す第１状態情報と、前記車両の第２状態を表す第２状態情報とを含み、
前記第１走行情報を表示する前記表示領域は、前記第１状態情報を表示する第１表示領域と、前記第２状態情報を表示する第２表示領域とを含み、
前記第１表示領域は、前記第２表示領域よりも前記表示部の上側に位置し、
前記変更表示制御手段は、前記第１表示領域の表示位置を前記表示部の上側へ変更するよう前記表示部を制御すると共に、前記第２表示領域の表示位置を前記表示部の下側へ変更するよう前記表示部を制御し、
前記情報表示制御手段は、表示位置を変更された前記第１表示領域と前記第２表示領域との間の位置に前記第２走行情報である前記補助情報を表示するよう前記表示部を制御し、
前記説明表示制御手段は、前記情報表示制御手段が表示させた前記第２状態情報を説明する説明画像を表示するよう前記表示部をさらに制御し、
前記範囲表示制御手段は、前記説明表示制御手段が表示させた前記説明画像によって説明される前記第２状態情報を表示する領域の範囲を表す範囲画像を表示するよう前記表示部をさらに制御する、
ことを特徴とする請求項３に記載の表示制御装置。
【請求項６】
前記説明画像及び前記範囲画像を表示する時間を指定する時間指定信号を取得する時間指定信号取得手段をさらに備え、
前記説明表示制御手段は、前記説明画像の表示を開始させてから、前記時間指定信号取得手段が取得した前記時間指定信号で指定される前記時間を経過した後に、前記説明画像の表示を終了するよう前記表示部を制御し、
前記範囲表示制御手段は、前記範囲画像の表示を開始させてから、前記時間指定信号取得手段が取得した前記時間指定信号で指定される前記時間を経過した後に、前記範囲画像の表示を終了するよう前記表示部を制御する、
ことを特徴とする請求項１に記載の表示制御装置。
【請求項７】
前記説明画像は、前記範囲画像が範囲を表す領域に表される情報を文字を用いて説明する画像であり、
前記説明画像で用いられる言語、並びに前記言語を表す前記文字の字体、大きさ、及び色のいずれか１つ以上を指定する文字指定信号を取得する文字指定信号取得手段を、さらに備え、
前記説明表示制御手段は、前記文字指定信号取得手段が取得した前記文字指定信号で指定された前記言語、並びに前記言語を表す前記文字の前記字体、前記大きさ、及び前記色のいずれか１つ以上の前記文字を用いて前記情報を説明する前記説明画像を表示するよう前記表示部を制御する、
ことを特徴とする請求項１から６のいずれか一項に記載の表示制御装置。
【請求項８】
前記範囲画像は、前記表示領域の前記範囲を枠線を用いて表す画像であり、
前記範囲画像で用いられる前記枠線の種類、太さ、及び色のいずれか１つ以上を指定する範囲指定信号を取得する範囲指定信号取得手段を、さらに備え、
前記範囲表示制御手段は、前記範囲指定信号取得手段が取得した前記範囲指定信号で指定される前記種類、前記太さ、及び前記色のいずれか１つ以上の前記枠線を用いて前記表示領域の範囲を表す前記範囲画像を表示するよう前記表示部を制御する、
ことを特徴とする請求項１から７のいずれか一項に記載の表示制御装置。
【請求項９】
前記変更表示制御手段は、前記表示領域を縮小して表示するよう前記表示部を制御することで、前記表示領域の前記表示位置を変更させ、
前記変更表示制御手段が縮小させた前記表示領域に表示された前記走行情報を表す文字を拡大して表示するよう前記表示部を制御する文字拡大表示制御手段を、さらに備える、ことを特徴とする請求項１から８のいずれか一項に記載の表示制御装置。
【請求項１０】
前記変更表示制御手段は、前記表示領域を縮小して表示するよう前記表示部を制御することで、前記表示領域の前記表示位置を変更させ、
前記表示領域は、前記走行情報を目盛りを用いて表示し、
前記変更表示制御手段が縮小させた前記表示領域に表示された前記走行情報の表示に用いられる前記目盛りを拡大して表示するよう前記表示部を制御する目盛拡大表示制御手段を、さらに備える、
ことを特徴とする請求項１から９のいずれか一項に記載の表示制御装置。
【請求項１１】
前記説明表示制御手段は、前記切替指示信号取得手段が前記切替指示信号を取得してから、前記変更表示制御手段による前記表示領域の表示位置の変更が終了するまでの間、前記表示領域に表示された前記走行情報を説明する前記説明画像を表示するよう前記表示部をさらに制御し、
前記範囲表示制御手段は、前記切替指示信号取得手段が前記切替指示信号を取得してから、前記変更表示制御手段による前記表示領域の表示位置の変更が終了するまでの間、前記表示領域の範囲を表す前記範囲画像を表示するよう前記表示部をさらに制御する、
ことを特徴とする請求項１から１０のいずれか一項に記載の表示制御装置。
【請求項１２】
前記変更表示制御手段は、前記表示領域における前記走行情報の表示を、指針式のアナログ表示から数字を用いたデジタル表示へ変更させると共に、前記表示領域の大きさを小さく変更して表示するように前記表示部を制御することで、前記表示領域の前記表示位置を変更させる、ことを特徴とする請求項１から１１のいずれか一項に記載の表示制御装置。
【請求項１３】
前記走行情報は、前記車両の走行速度を表す情報であり、
前記変更表示制御手段は、前記車両のフロントガラス側へ前記表示領域の表示位置を変更するよう前記表示部を制御する、
ことを特徴とする請求項１から１２いずれか一項に記載の表示制御装置。
【請求項１４】
前記切替指示信号取得手段は、前記表示部の前記表示モードを、前記補助情報を表示するモードから前記補助情報を表示しないモードへ切り替えるよう指示する切替指示信号をさらに取得し、
前記情報表示制御手段は、前記切替指示信号取得手段が前記補助情報を表示しない前記モードへ切り替えるよう指示する前記切替指示信号を取得すると、前記第２走行情報である前記補助情報の表示を終了するよう前記表示部をさらに制御し、
前記変更表示制御手段は、前記第１走行情報である前記状態情報を表示する前記表示領域の前記表示位置を前記補助情報が表示されていた位置に変更するよう前記表示部を制御し、
前記説明表示制御手段は、前記変更表示制御手段が前記表示領域の前記表示位置を前記補助情報が表示されていた位置に変更させると、前記表示領域に表示された前記状態情報を説明する前記説明画像を表示するよう前記表示部を制御し、
前記範囲表示制御手段は、前記説明表示制御手段が表示させた前記説明画像によって説明される前記状態情報を表示する前記表示領域の範囲を表す前記範囲画像を表示するよう前記表示部を制御する、
ことを特徴とする請求項３に記載の表示制御装置。
【発明の詳細な説明】
【技術分野】
【０００１】
本発明は、車両に搭載される表示制御装置に関する。
【背景技術】
【０００２】
特許文献１には、デジタル式の速度計を表す画像と、指針式のアナログ速度計を表す画像とを表示する第１表示モードから、デジタル式の速度計を表す画像と、車両の走行経路を表す画像とを表示する第２表示モードへ表示を切り換える車両用メーターユニットが開示されている。この車両用メーターユニットは、第１表示モードから第２表示モードへ表示を切り換える場合に、デジタル式の速度計を表す画像を表示する表示領域の位置を、第１表示モードにおける表示位置から、第２表示モードで走行経路を表す画像を表示する位置と重ならない表示位置へ変化させる。
【先行技術文献】
【特許文献】
【０００３】
【特許文献１】特開２００９−１７９２４０号公報
【発明の概要】
【発明が解決しようとする課題】
【０００４】
特許文献１に係る技術では、表示位置が変化した表示領域の範囲及び表示領域に表示される情報の説明が表示されないため、表示領域の表示位置が変化すると、車両の乗員は、表示領域に表示される情報を短時間で認識できなくなるという問題があった。
【０００５】
本発明は、このような点に鑑みてなされたものであり、その目的は、表示位置を変化させた表示領域の範囲及び表示領域に表示される情報の説明を表示させることができる表示制御装置を提供することにある。
【課題を解決するための手段】
【０００６】
上記目的を達成するため、本発明の第一の観点に係る表示制御装置は、
車両の走行状況を表す走行情報を取得する情報取得手段と、
前記情報取得手段が取得した前記走行情報を表示するよう表示部を制御する情報表示制御手段と、
前記情報表示制御手段によって制御された前記表示部において前記走行情報を表示する表示領域の表示位置を変更するよう前記表示部を制御する変更表示制御手段と、
前記変更表示制御手段が前記表示領域の前記表示位置を変更させると、前記表示領域に表示された前記走行情報を説明する説明画像を表示するよう前記表示部を制御する説明表示制御手段と、
前記説明表示制御手段が表示させた前記説明画像によって説明される前記走行情報を表示する前記表示領域の範囲を表す範囲画像を表示するよう前記表示部を制御する範囲表示制御手段と、
を備え、
前記説明表示制御手段は、前記説明画像の表示を開始させてから所定の時間を経過した後に、前記説明画像の表示を終了するよう前記表示部をさらに制御し、
前記範囲表示制御手段は、前記範囲画像の表示を開始させてから所定の時間を経過した後に、前記範囲画像の表示を終了するよう前記表示部をさらに制御することを特徴とする。
【発明の効果】
【０００９】
本発明によれば、表示位置が変化した表示領域の範囲及び表示領域に表示される情報の説明を表示できる。
【図面の簡単な説明】
【００１０】
【図１】本発明の一実施形態に係る表示装置の一構成例を示すハードウェア構成図である。
【図２】本発明の一実施形態に係る表示装置が実行する設定取得保存処理の一例を表すフローチャートである。
【図３】本発明の一実施形態に係る表示装置が実行する表示制御処理の一例を表すフローチャートの前半部である。
【図４】本発明の一実施形態に係る表示装置が実行する表示制御処理の一例を表すフローチャートの後半部である。
【図５】本発明の一実施形態に係る表示装置が実行する第１変更表示制御処理の一例を表すフローチャートである。
【図６】図６（ａ）は、本発明の一実施形態に係る表示装置が有する機能の一例を表すブロック図である。図６（ｂ）は、設定取得部の一構成例を表す図である。図６（ｃ）は、変更表示制御部の一構成例を表す図である。
【図７】図７（ａ）は、第１モードにおいて範囲画像及び説明画像を表示しない表示部の表示例を表す図である。図７（ｂ）は、第１モードにおいて範囲画像及び説明画像を表示する表示例を表す図である。図７（ｃ）は、第２モードにおいて範囲画像及び説明画像を表示する表示例を表す図である。図７（ｄ）は、第２モードにおいて範囲画像及び説明画像を表示しない表示部の表示例を表す図である。
【図８】図８（ａ）は、第１モードにおいて第１状態情報を表示するが、第２状態情報を表示しない表示部の表示例を表す図である。図８（ｂ）は、第２モードにおいて第１状態情報を表示方向の右側に表示し、補助情報を左側に表示する表示例を表す図である。図８（ｃ）は、第２モードにおいて第１状態情報を上側に表示し、補助情報を下側に表示する表示例を表す図である。
【発明を実施するための形態】
【００１１】
本発明に係る実施形態について図面を参照して説明する。なお、本発明は下記の実施形態及び図面によって限定されるものではない。下記の実施形態及び図面に変更（構成要素の削除も含む）を加えることができるのはもちろんである。また、以下の説明では、本発明の理解を容易にするために、重要でない公知の技術的事項の説明を適宜省略する。
【００１２】
本実施形態に係る図１の表示装置１００は、自動車、自動二輪車、又は電車等の車両に搭載される。表示装置１００は、車両の走行状態を表す走行情報を表示部１０９に表示する。
【００１３】
尚、車両の走行状況は、車両の状態と、車両の走行する走行路とで表される。このため、走行情報は、車両の状態を表す情報（以下単に、車両情報という）及び車両の走行する走行路を表すことで、車両の運転を補助する情報（以下単に、補助情報という）を含む。
【００１４】
尚、車両情報は、車両の走行速度（つまり、車速）を表す情報、車両のエンジン出力（以下単に、車両出力という）をエンジンの回転数で表す情報、エンジンの水温を表す情報、車両が有する燃料の残量を表す情報、及び車両が有するギアの位置（つまり、ギアポジション）を表す情報を含む。また、補助情報は、車両の走行経路を表す情報、及び暗視カメラ（つまり、ナイトビジョン）が撮影した車両の走行路を含む車両の周囲を表す暗視画像（つまり、ナイトビュー）を含む。
【００１５】
表示装置１００は、図１に示すように、表示制御部１０１と表示部１０９とで構成される。表示部１０９の表示を制御する表示制御部１０１は、ＣＰＵ（Ｃｅｎｔｒａｌ  Ｐｒｏｃｅｓｓｉｎｇ  Ｕｎｉｔ）１０１ａ、ＲＯＭ（Ｒｅａｄ  Ｏｎｌｙ  Ｍｅｍｏｒｙ）１０１ｂ、ＲＡＭ（Ｒａｎｄｏｍ  Ａｃｃｅｓｓ  Ｍｅｍｏｒｙ）１０１ｃ、入出力部１０１ｄ、描画ＬＳＩ（Ｌａｒｇｅ  Ｓｃａｌｅ  Ｉｎｔｅｇｒａｔｉｏｎ）１０１ｅ、及びグラフィックメモリ１０１ｆを備える。
【００１６】
ＣＰＵ１０１ａは、ＲＯＭ１０１ｂに格納されたプログラムに従ったソフトウェア処理を実行することで、表示装置１００を構成する各部を制御する。具体的には、ＣＰＵ１０１ａは、メーターを用いて状態情報を表す画像を描画する描画ソフトウェアのプログラムを、ＥＣＵ（Ｅｎｇｉｎｅ  Ｃｏｎｔｒｏｌ  Ｕｎｉｔ）２００から取得する状態情報を表すデータに対して実行すると共に、状態情報を表す画像の描画に用いられるデータ（以下、描画データという）を描画ＬＳＩ１０１ｅへ出力する。尚、ＣＰＵ１０１ａは、ＥＣＵ２００と通信インターフェース（以下単に、通信ＩＦという）３００を介して接続し、通信インターフェース３００は、シリアルバス１０を介してＥＣＵ２００とデータの通信を行う。
【００１７】
ＲＯＭ１０１ｂは、描画ソフトウェアのプログラム及び描画ソフトウェアが状態情報又は補助情報を表す画像を生成するために用いる図形データ及びフォントデータを記憶する。ＲＡＭ１０１ｃは、ＣＰＵ１０１ａがソフトウェア処理の実行に用いるデータを一時的に記憶する。
【００１８】
入出力部１０１ｄは、車両内に設けられた操作スイッチ４００の操作によって生成される切替指示信号を入力する。尚、入出力部１０１ｄが入力する切替指示信号は、状態情報を表示するが補助情報を表示しない第１モードから、状態情報と補助情報との双方を表示する第２モードへ切り替えることを指示する信号、及び第２モードから第１モードへ切り替えることを指示する信号を含む。
【００１９】
描画ＬＳＩ１０１ｅは、ＣＰＵ１０１ａから描画データを受け取ると共に、受け取ったデータに基づいて画像をグラフィックメモリ１０１ｆ上に展開する。その後、描画ＬＳＩ１０１ｅは、展開した画像を、ＣＰＵ１０１ａに指定された位置に合成すると共に、展開した画像が合成された合成画像を表示部１０９へ出力する。
【００２０】
表示部１０９は、ＴＦＴ（Ｔｈｉｎ  Ｆｉｌｍ  Ｔｒａｎｓｉｓｔｏｒ）型のＬＣＤ（Ｌｉｑｕｉｄ  Ｃｒｙｓｔａｌ  Ｄｉｓｐｌａｙ）１０９ａと、ＬＣＤ１０９ａの背後に設置されたバックライトモジュール１０９ｂとを備え、描画ＬＳＩ１０１ｅによって出力された合成画像をＬＣＤ１０９ａとバックライトモジュール１０９ｂとを用いて表示する。
【００２１】
尚、ＥＣＵ２００は、車速センサー２１０、車両出力検出ユニット２２０、水温センサー２３０、燃料残量センサー２４０、及びギアポジション検出部２５０に接続し、それぞれのセンサー及び検出部が検出した車速、車両出力、水温、燃料の残量、及びギアポジションを表すアナログ信号を取得する。その後、ＥＣＵ２００は、Ａ／Ｄ（Ａｎａｌｏｇ／Ｄｉｇｉｔａｌ）変換器を用いて、アナログ信号をデジタルデータに変換した後に、変換したデータを、例えば、ＣＡＮ（Ｃｏｎｔｒｏｌｌｅｒ  Ａｒｅａ  Ｎｅｔｗｏｒｋ）通信によって表示装置１００へ送信する。また、ＥＣＵ２００は、暗視カメラであるナイトビューカメラ２６０に接続し、ナイトビューカメラ２６０が撮影した暗視画像（つまり、ナイトビュー）を表すデータを表示装置１００へ送信する。
【００２２】
次に、図１に示したハードウェアを用いて表示装置１００が実行するソフトウェア処理について説明する。図１のＣＰＵ１０１ａは、各種の設定を取得すると共に、取得した設定を保存する図２に示すような設定取得保存処理を実行する。この設定取得保存処理の実行によって、ＣＰＵ１０１ａは、図６（ａ）に示すような設定取得部１１０及び設定保存部１２０として機能する。また、設定取得部１１０は、図６（ｂ）に示すような文字指定信号取得部１１１、範囲指定信号取得部１１２、背景指定信号取得部１１３、及び時間指定信号取得部１１４を有する。
【００２３】
先ず、図６（ｂ）の文字指定信号取得部１１１は、車両の乗員（つまり、表示装置１００のユーザー）の操作に応じて図１の操作スイッチ４００が入力した文字指定信号を取得する。文字指定信号とは、表示部１０９が表示する車両情報又は補助情報の内容説明に用いられる言語を指定すると共に、内容説明に用いられる文字の字体、大きさ、及び色を指定する信号をいう。次に、文字指定信号取得部１１１は、文字指定信号に基づいて、表示部１０９に選択肢として表示された言語の内で、ユーザーが選択（つまり、指定）した言語（以下、指定言語という）を表す情報（以下、指定言語情報という）を取得する（ステップＳ０１）。次に、文字指定信号取得部１１１は、文字指定信号に基づいて、表示部１０９に表示された文字の字体の内で、ユーザーが指定した字体（以下、指定字体という）を表す情報（以下、指定字体情報という）を取得する（ステップＳ０２）。その後、文字指定信号取得部１１１は、文字指定信号に基づいて、表示部１０９に表示された文字のサイズ（つまり、フォントサイズ）の内で、ユーザーが指定したサイズ（以下、指定フォントサイズという）を表す情報（以下、指定フォントサイズ情報という）を取得する（ステップＳ０３）。次に、文字指定信号取得部１１１は、文字指定信号に基づいて、表示部１０９に表示された文字の色（つまり、フォント色）の内で、ユーザーが指定した色（以下、指定フォント色という）を表す情報（以下、指定フォント色情報という）を取得する（ステップＳ０４）。尚、文字指定信号は、言語、文字の字体、大きさ、及び色のいずれか１つ以上を指定する信号であってもよく、文字指定信号取得部１１１は、文字指定信号で指定された言語、文字の字体、大きさ、及び色の全てではなく、指定された言語、文字の字体、大きさ、及び色のいずれか１つ以上に限って取得してもよい。
【００２４】
その後、図６（ｂ）の範囲指定信号取得部１１２は、表示装置１００のユーザーの操作に応じて図１の操作スイッチ４００が入力した範囲指定信号を取得する。範囲指定信号とは、表示部１０９が車両情報又は補助情報を表示する範囲を表す線（つまり、枠線）の種類、太さ、及び色を指定する信号をいう。次に、範囲指定信号取得部１１２は、範囲指定信号に基づいて、表示部１０９に選択肢として表示された枠の線種の内で、ユーザーが選択（つまり、指定）した線種（以下、指定線種という）を表す情報（以下、指定線種情報という）を取得する（ステップＳ０５）。次に、範囲指定信号取得部１１２は、範囲指定信号に基づいて、表示部１０９に表示された枠幅の内で、ユーザーが指定した幅（以下、指定枠幅という）を表す情報（以下、指定枠幅情報という）を取得する（ステップＳ０６）。その後、範囲指定信号取得部１１２は、範囲選択指定信号に基づいて、表示部１０９に表示された枠の色の内で、ユーザーが指定した色（以下、指定枠色という）を表す情報（以下、指定枠色情報という）を取得する（ステップＳ０７）。尚、範囲指定信号は、枠線の種類、太さ、及び色のいずれか１つ以上を指定する信号であってもよく、範囲指定信号取得部１１２は、範囲指定信号で指定された種類、太さ、及び色の全てではなく、指定された種類、太さ、及び色のいずれか１つ以上に限って取得してもよい。
【００２５】
その後、図６（ｂ）の背景指定信号取得部１１３は、表示装置１００のユーザーの操作に応じて図１の操作スイッチ４００が入力した背景指定信号を取得する。背景指定信号とは、表示部１０９の背景画像を指定する信号をいう。次に、背景指定信号取得部１１３は、背景指定信号に基づいて、表示部１０９に選択肢として表示された背景画像の内で、ユーザーが選択（つまり、指定）した背景画像（以下、指定背景という）を表す情報（以下、指定背景情報という）を取得する（ステップＳ０８）。
【００２６】
次に、図６（ｂ）の時間指定信号取得部１１４は、表示装置１００のユーザーの操作に応じて図１の操作スイッチ４００が入力した時間指定信号を取得する。時間指定信号とは、状態情報及び補助情報の説明を表す説明画像、並びに状態情報及び補助情報の表示範囲を表す範囲画像を表示部１０９に表示する表示時間を指定する信号をいう。次に、時間指定信号取得部１１４は、時間指定信号に基づいて、表示部１０９に選択肢として表示された表示時間の内で、ユーザーが選択（つまり、指定）した表示時間（以下、指定時間という）を表す情報（以下、指定時間情報という）を取得する（ステップＳ０９）。
【００２７】
その後、図６（ａ）の設定保存部１２０は、ステップＳ０１からＳ０９で取得した情報を設定として、図１のＲＡＭ１０１ｃへ保存する（ステップＳ１０）。その後、設定取得部１１０は、設定保存処理の実行を終了する。
【００２８】
次に、図１のＣＰＵ１０１ａが、表示部１０９の表示を制御するために実行する表示制御処理について説明を行う。ＣＰＵ１０１ａは、図３及び図４に示すような表示制御処理を実行することで、図６（ａ）に示すような設定読出部１３０、情報取得部１４０、情報表示制御部１５０、切替指示信号取得部１６０、変更表示制御部１７０、範囲表示制御部１８０、及び説明表示制御部１９０として機能する。
【００２９】
表示制御処理が実行されると、表示部１０９の表示モードは第１モードとなる。次に、図６（ａ）の設定読出部１３０は、図２のステップＳ１０で保存された情報（つまり、設定）を読み出す（ステップＳ２１）。次に、設定読出部１３０は、読み出した情報（つまり、指定背景情報）が表す背景画像を図１のＲＯＭ１０１ｂから読み出すと共に、読み出した背景画像を表示部１０９の背景として表示するよう表示部１０９を制御する（ステップＳ２２）。
【００３０】
通常、ユーザーは、ユーザーの気分や趣向に合致した背景画像、又はユーザーが表示部１０９の表示を目視確認し易い背景画像を指定する。このため、表示部１０９の表示をユーザーが確認する際に受けるストレスを軽減できるだけでなく、表示部１０９の表示の視認性が向上し、ユーザーが表示を視認する際の安全性が向上する。
【００３１】
その後、図６（ａ）の情報取得部１４０は、図１のＥＣＵ２００から車速を表す状態情報（以下、第１状態情報という）と、エンジンの出力をエンジンの回転数で表す状態情報（以下、第２状態情報という）とを取得する（ステップＳ２３）。
【００３２】
次に、情報表示制御部１５０は、情報取得部１４０が取得した第１状態情報と第２状態情報とを表示するよう表示部１０９を制御する（ステップＳ２４）。具体的には、情報表示制御部１５０は、図１のＲＯＭ１０１ｂから速度計のマスター画像と、タコメーター（つまり、回転数計）のマスター画像とを読み出す。尚、速度計のマスター画像は、スピードを指す指針が表されていない速度計を表す画像である。同様に、回転数計のマスター画像とは、回転数を指す指針が表されていない速度計を表す画像である。マスター画像を読み込んだ後に、情報表示制御部１５０は、第１状態情報が表す速度を示す指針の指針画像を速度計のマスター画像に合成して、図７（ａ）に示すような速度計表示画像Ｃ１を生成する。また同様に、情報表示制御部１５０は、第２状態情報が表すエンジンの回転数を示す指針の指針画像を回転数計のマスター画像に合成して回転数計表示画像Ｃ２を生成する。尚、情報表示制御部１５０は、情報取得部１４０がＥＣＵ２００から取得した第１状態情報又は第２状態情報で表される値が変化する度に、表示する第１状態情報又は第２状態情報の値を変化させるように表示部１０９をリアルタイムで制御する。
【００３３】
その後、情報表示制御部１５０は、速度計表示画像Ｃ１を表す描画データ（以下、第１描画データという）と、速度計表示画像Ｃ１を表示する第１表示領域Ａ１の範囲を表す範囲データ（以下、第１範囲データという）とを描画ＬＳＩ１０１ｅへ出力する。同様に、情報表示制御部１５０は、回転数計表示画像Ｃ２を表す描画データ（以下、第２描画データという）と、回転数計表示画像Ｃ２を表示する第２表示領域Ａ２の範囲を表す範囲データ（以下、第２範囲データという）とを描画ＬＳＩ１０１ｅへ出力する。その後、描画ＬＳＩ１０１ｅは、図７（ａ）に示すように、第１描画データ及び第１範囲データに基づいて、速度計表示画像Ｃ１を第１表示領域Ａ１に表示するよう表示部１０９を制御すると共に、第１描画データ及び第１範囲データに基づいて、回転数計表示画像Ｃ２を第２表示領域に表示するよう表示部１０９を制御する。
【００３４】
尚、図７（ａ）に示すように、第１表示領域Ａ１は、第２表示領域Ａ２よりも表示部１０９の表示面Ｄの表示方向に向かって右側の領域であり、第１表示領域Ａ１と第２表示領域Ａ２とは略同一形状である。また表示面Ｄは、第１表示領域Ａ１及び第２表示領域Ａ２以外の領域であって、ユーザーが十分に視認できる大きさで補助情報を表示するために十分な大きさの領域（以下単に、十分広い領域という）を有しない。尚、第１表示領域Ａ１及び第２表示領域Ａ２を表す破線は、表示部１０９には表示されない。
【００３５】
図３のステップＳ２４の後に、図６（ａ）の範囲表示制御部１８０は、表示部１０９の表示モードを第１モードとし、かつ下記のステップＳ２６及びＳ２７を実行してから、ステップＳ２１で読み出した指定時間だけ経過したか否かを判断する（ステップＳ２５）。具体的には、範囲表示制御部１８０は、第１モードに切り替えた後であって、下記のステップＳ２６及びＳ２７を実行し終えた時にスタートさせたタイマーに基づいて、指定時間を経過したか否かを判断する。ここで、表示制御処理の実行が開始された時に表示部１０９は第１モードとなるため、ステップＳ２５の初回の判断において、範囲表示制御部１８０は、指定時間を経過していないと判断する（ステップＳ２５；Ｎｏ）。
【００３６】
その後、図６（ａ）の範囲表示制御部１８０は、図７（ｂ）に示すような、第１表示領域Ａ１の範囲を表す範囲画像（以下、第１範囲画像という）Ｆ１、及び第２表示領域Ａ２の範囲を表す範囲画像（以下、第２範囲画像という）Ｆ２を溶明的に表示（つまり、フェードイン表示）するよう表示部１０９を制御する（ステップＳ２６）。具体的には、範囲表示制御部１８０は、ステップＳ２１で読み出した指定線種、指定枠幅、及び指定枠色で第１表示領域Ａ１の範囲を表す枠の画像（以下、第１枠画像という）を生成した後に、第１枠画像を第１範囲画像Ｆ１とする。その後、範囲表示制御部１８０は、第１範囲画像Ｆ１を表す描画データと、第１範囲画像Ｆ１の表示位置を表すデータとを図１の描画ＬＳＩ１０１ｅへ出力する。同様に、範囲表示制御部１８０は、設定で指定された線種、幅、及び色で第２表示領域Ａ２の範囲を表す枠の画像（以下、第２枠画像という）を生成した後に、第２枠画像を第２範囲画像Ｆ２とすると共に、第２範囲画像Ｆ２を表す描画データと、第２範囲画像Ｆ２の表示位置を表すデータとを描画ＬＳＩ１０１ｅへ出力する。
【００３７】
これらの構成によれば、通常、ユーザーは、ユーザーの気分や趣向に合致した線種、枠幅、及び枠色、ユーザーが目視確認し易い線種、枠幅、及び枠色を指定する。このため、第１状態情報及び第２状態情報が表示された範囲をユーザーが確認する際に受けるストレスを軽減できるだけでなく、第１状態情報及び第２状態情報が表示された範囲の視認性が向上し、ユーザーが第１状態情報及び第２状態情報を視認する際の安全性が向上する。
【００３８】
図３のステップＳ２６の後に、説明表示制御部１９０は、図７（ｂ）に示すような、第１表示領域Ａ１に表示された第１状態情報が、車両の走行速度を表す情報であることを説明する説明画像（以下、第１説明画像という）Ｔ１を表示するよう表示部１０９を制御する。ここで、第１説明画像の左上角は、第１範囲画像Ｆ１の左上角に一致している。第１説明画像が第１範囲画像Ｆ１の表す範囲に表示された第１状態情報を説明することを明確にするためである。尚、第１説明画像は、第１表示領域Ａ１に表示された速度計表示画像Ｃ１が速度計を表す画像であると説明する画像であっても良い。また、説明表示制御部１９０は、同様に、第２表示領域Ａ２に表示された第２状態情報が、エンジンの回転数を表す情報であることを説明する説明画像（以下、第２説明画像という）Ｔ２を表示するよう表示部１０９を制御する（ステップＳ２７）。
【００３９】
具体的には、説明表示制御部１９０は、ステップＳ２１で読み出した指定言語、指定字体、指定フォントサイズ、及び指定フォント色で第１状態情報を説明する第１説明画像Ｔ１及び第２状態情報を説明する第２説明画像Ｔ２を生成する。その後に、説明表示制御部１９０は、第１説明画像Ｔ１を表す描画データ及び第２説明画像Ｔ２を表す描画データと、第１説明画像Ｔ１の表示位置を表すデータ及び第２説明画像Ｔ２の表示位置を表すデータとを図１の描画ＬＳＩ１０１ｅへ出力する。
【００４０】
ここで、図７（ｂ）に示すように、第１説明画像Ｔ１及び第２説明画像Ｔ２は、速度計表示画像Ｃ１及び回転数計表示画像Ｃ２がそれぞれ表す計器の名称を表す名称画像でもある。第１説明画像Ｔ１及び第２説明画像Ｔ２等の説明画像は、例えば、状態情報の内容（又は名称若しくは機能等）を表す画像であればよい。具体的には、第１説明画像Ｔ１は、「Ｓｐｅｅｄ」という英語の文字列を表す画像であって、速度計表示画像Ｃ１が表す計器の名称がスピードメーター（ｓｐｅｅｄｏｍｅｔｅｒ）であること、及びスピードメーターを用いて表示される第１状態情報が車の速度（つまり、スピード）であることを説明する。同様に、第２説明画像Ｔ１は、「Ｔａｃｈｏ」という英語の文字列を表す画像であって、回転数計表示画像Ｃ２が表す計器の名称がタコメーター（ｔａｃｈｏｍｅｔｅｒ）であることを説明する。
【００４１】
また、図７（ｂ）に示すように、第１範囲画像Ｆ１は、速度計表示画像Ｃ１の外周を単に囲むのではなく、第１説明画像Ｔ１と枠線とで、速度計表示画像Ｃ１を領域内に表示する第１表示領域Ａ１の外周を囲む。これは、速度計表示画像Ｃ１によって第１状態情報が表示される領域の範囲を明確にするだけでなく、第１説明画像Ｔ１が説明する第１状態情報が表示される領域をも明確にするためである。同様の理由から、第２範囲画像Ｆ２は、第２説明画像Ｔ２と枠線とで、回転数計表示画像Ｃ２を領域内に表示する第２表示領域Ａ２を枠線で囲む。
【００４２】
通常、ユーザーは、ユーザーが理解できる言語、ユーザーの気分や趣向に合致した字体、ユーザーが目視確認し易いフォントサイズ及びフォント色を指定する。このため、第１説明画像Ｔ１及び第２説明画像Ｔ２の説明をユーザーが確認する際に受けるストレスを軽減できるだけでなく、第１説明画像Ｔ１及び第２説明画像Ｔ２の視認性が向上し、ユーザーが第１説明画像Ｔ１及び第２説明画像Ｔ２を視認する際の安全性が向上する。
【００４３】
図３のステップＳ２７の後に、図６（ａ）の切替指示信号取得部１６０は、図１の操作スイッチ４００から切替指示信号を取得する（ステップＳ２８）。次に、切替指示信号取得部１６０は、取得した切替指示信号が第１モードから第２モードへの切り替えを指示する信号か否かを判断する（ステップＳ２９）。尚、切替指示信号取得部１６０が切替指示信号を取得する取得先は操作スイッチ４００に限らず、例えば、切替指示信号取得部１６０は、表示モードを切り替えてからの経過時間をカウントするタイマーであって、表示装置１００の内部に搭載されたタイマーから切替指示信号を取得しても良い。また、切替指示信号取得部１６０は、表示制御部１０１が検知したイベントに基づいて表示制御部１０１から出力される切替指示信号を取得しても良い。
【００４４】
切替指示信号取得部１６０は、取得した信号が第１モードから第２モードへの切り替えを指示する信号でないと判断し（ステップＳ２９；Ｎｏ）、上記ステップＳ２３及びＳ２４の処理を繰り返す。
【００４５】
ステップＳ２４の後に、範囲表示制御部１８０は、表示部１０９の表示モードを第１モードとしてから指定時間だけ経過したと判断する（ステップＳ２５；Ｙｅｓ）。その後、範囲表示制御部１８０は、図７（ｂ）の第１範囲画像Ｆ１及び第２範囲画像Ｆ２の表示をフェードアウトしながら終了させるよう表示部１０９を制御する（ステップＳ３０）。次に、説明表示制御部１９０は、図７（ｂ）の第１説明画像Ｔ１及び第２説明画像Ｔ２の表示を終了させるよう表示部１０９を制御する（ステップＳ３１）。
【００４６】
その後、切替指示信号取得部１６０は、再度、切替指示信号を取得する（ステップＳ２８）。次に、切替指示信号取得部１６０は、取得した信号が第１モードから第２モードへの切り替えを指示する信号であると判断する（ステップＳ２９；Ｙｅｓ）。その後、範囲表示制御部１８０は、ステップＳ２６と同様の処理を実行し（ステップＳ３２）、説明表示制御部１９０は、ステップＳ２７と同様の処理を実行する（ステップＳ３３）。
【００４７】
これらの構成によれば、第１表示領域Ａ１及び第２表示領域Ａ２の表示位置が変化した後だけでなく、切替信号を取得してから表示位置の変化が終了するまでの間にも第１範囲画像Ｆ１及び第２範囲画像Ｆ２と第１説明画像Ｔ１及び第２説明画像Ｔ２とを表示する。このため、切替信号を取得してから第１表示領域Ａ１及び第２表示領域Ａ２の表示位置の変化が終了するまでの間に、ユーザーが、第１範囲画像Ｆ１及び第１範囲画像Ｆ１と第１説明画像Ｔ１及び第２説明画像Ｔ２を認識して記憶している場合に、記憶した画像に基づいて、変化した後の表示位置における第１範囲画像Ｆ１及び第２範囲画像Ｆ２と第１説明画像Ｔ１及び第２説明画像Ｔ２を短時間で認識できる。
【００４８】
その後、変更表示制御部１７０は、補助情報を表示する領域を生成するために、第１表示領域の表示位置と第２表示領域の表示位置とを変更するよう表示部１０９を制御する、図５に示すような第１変更表示制御処理を実行する（ステップＳ３４）。尚、図６（ａ）に示す変更表示制御部１７０は、図６（ｃ）に示すように表示領域縮小部１７１、文字拡大表示制御部１７２、及び目盛拡大表示制御部１７３を有する。
【００４９】
図５の第１変更表示制御処理の実行が開始されると、図６（ｃ）の表示領域縮小部１７１は、図７（ｃ）に示すように、第１表示領域Ａ１を所定の割合だけ縮小すると共に、第１表示領域Ａ１の表示方向に向かって右側の端部の表示位置を縮小前とほぼ同じ位置（つまり、表示面Ｄの表示方向に向かって右端）とすることで、第１表示領域Ａ１を全体的に右側へ移動させる（ステップＳ５１）。
【００５０】
次に、文字拡大表示制御部１７２は、縮小された速度計表示画像Ｃ１２において、第１状態情報である車速を表す文字「０」から「１８０」（つまり、数値）及び車速の単位を表す文字「Ｋｍ／ｈ」を、縮小後の大きさから縮小前の大きさまで拡大して表示するよう表示部１０９を制御する（ステップＳ５２）。具体的には、文字拡大表示制御部１７２は、前回に使用した速度計のマスター画像よりも所定の割合だけ大きい文字が使用された速度計のマスター画像を用いて速度計表示画像Ｃ１２を作成する。
【００５１】
ステップＳ５２の後に、目盛拡大表示制御部１７３は、図７（ｃ）に示すように、縮小された速度計表示画像Ｃ１２において、車速を表す目盛りを、縮小後の大きさから縮小前の大きさまで拡大して表示するよう表示部１０９を制御する（ステップＳ５３）。
【００５２】
これらの構成によれば、表示領域を縮小すると共に、縮小した領域に表示される状態情報を表す文字及び状態情報の表示に用いられる目盛りを拡大するため、状態情報の視認性が低下することを防止しながら、新たに表示させる補助情報を表示する補助領域を確保できる。
【００５３】
その後、表示領域縮小部１７１は、第２表示領域Ａ２を所定の割合だけ縮小することで、第２表示領域Ａ２を全体的に左側へ移動させる（ステップＳ５４）。この構成によって、縮小された第１表示領域Ａ１２と第２表示領域Ａ２２との間に、情報が表示されていない空領域が形成される。尚、図７（ａ）の第１表示領域Ａ１が第２表示領域Ａ２より上側に表示される場合には、表示領域縮小部１７１は、第１表示領域Ａ１を上側へ移動させ、第２表示領域Ａ２を下側へ移動させる構成を採用できる。
【００５４】
次に、文字拡大表示制御部１７２は、図７（ｃ）の縮小された回転計表示画像Ｃ２２において、第２状態情報であるエンジンの回転数を表す文字「０」から「８」（つまり、数値）及び回転数の単位を表す文字「×１０００ｒｐｍ」を、縮小後の大きさから縮小前の大きさまで拡大して表示するよう表示部１０９を制御する（ステップＳ５５）。
【００５５】
その後、目盛拡大表示制御部１７２は、縮小された回転計表示画像Ｃ２２において、エンジンの回転数を表す目盛りを、縮小後の大きさから縮小前の大きさまで拡大して表示するよう表示部１０９を制御する（ステップＳ５６）。
【００５６】
次に、表示領域縮小部１７１は、空領域が補助情報を表示するのに十分に広いか（つまり、十分広い領域であるか）否かを判断する（ステップＳ５７）。表示領域縮小部１７１は、空領域が十分広い領域でないと判断し（ステップＳ５７；Ｎｏ）、ステップＳ５１からＳ５６の処理を繰り返す。その後、表示領域縮小部１７１は、空領域が十分広い領域であると判断し（ステップＳ５７；Ｙｅｓ）、第１変更表示制御処理の実行を終了する。
【００５７】
図３のステップＳ３４における第１変更表示制御処理が終了した後に、表示部１０９の表示モードは第２モードとなる。次に、図６（ａ）の情報取得部１４０は、図１のＥＣＵ２００から、第１状態情報と第２状態情報と補助情報とを取得する（図４のステップＳ３５）。次に、情報表示制御部１５０は、図７（ｃ）に示すように、表示位置が変更された第１表示領域Ａ１２に第１状態情報を表す速度計表示画像Ｃ１２を表示し、表示位置が変更された第２表示領域Ａ２２に第２状態情報を表す回転計表示画像Ｃ２２を表示し、第１表示領域Ａ１２と第２表示領域Ａ２２との間の空領域（以下、補助領域という）に補助情報を表示するよう表示部１０９を制御する（ステップＳ３６）。
【００５８】
具体的には、情報表示制御部１５０は、補助情報を表す画像を描画する描画ソフトウェアのプログラムを実行して、補助情報を表す画像の描画に用いられるデータ（以下、補助情報描画データという）を作成すると共に、作成した補助情報描画データ及び補助情報を表す画像を表示する補助領域の範囲を表す範囲データ（以下、補助範囲データという）を描画ＬＳＩ１０１ｅへ出力する。
【００５９】
これらの構成によれば、２つの表示領域（つまり、図７（ａ）の第１表示領域Ａ１と第２表示領域Ａ２）の表示位置が変化した場合であっても、位置の変化前に第１表示領域Ａ１よりも表示方向に対して左側に表示されていた第２表示領域Ａ２は、位置の変化後にも図７（ｄ）の第１表示領域Ａ１２より左側に表示される。また、第１表示領域Ａ１２と第２表示領域Ａ２２との間の位置に、補助情報を表示する補助領域が表示される。このため、ユーザーは、表示方向に対して右側に表示された領域が第１表示領域Ａ１であり、左側に表示された領域が第２表示領域Ａ２であり、中央に表示された領域が補助領域であることを、混同することなく短時間で認識できる。
【００６０】
その後に、図６（ａ）の範囲表示制御部１８０は、表示部１０９の表示モードを第２モードとし、かつ下記のステップＳ３８及びＳ３９を実行してから、ステップＳ２１で読み出した指定時間だけ経過したか否かを判断する（ステップＳ３７）。範囲表示制御部１８０は、指定時間を経過していないと判断する（ステップＳ３７；Ｎｏ）。
【００６１】
次に、範囲表示制御部１８０は、図７（ｃ）に示すように、第１表示領域Ａ１２の第１範囲画像Ｆ１２と、第２表示領域Ａ２２の第２範囲画像Ｆ２２と、補助領域の範囲を表す範囲画像（以下単に、補助範囲画像という）Ｆｃとをフェードイン表示するよう表示部１０９を制御する（ステップＳ３８）。
【００６２】
その後、説明表示制御部１９０は、図７（ｃ）に示すように、第１表示領域Ａ１２の第１説明画像Ｔ１と、第２表示領域Ａ２２の第２説明画像Ｔ２と、補助領域Ａｃの補助説明画像Ｔｃとをフェードイン表示するよう表示部１０９を制御する（ステップＳ３９）。尚、補助説明画像Ｔｃは、補助範囲画像Ｆｃが表す補助領域Ａｃに表示された補助情報が、図１のナイトビューカメラ（つまり、ナイトビジョン）２６０によって撮影されたナイトビューであることを説明する説明画像である。
【００６３】
これらの構成によれば、第１表示領域Ａ１の表示位置を変化させた後に、第１表示領域Ａ１２の範囲を表す第１範囲画像Ｆ１２及び第１表示領域Ａ１２に表示される第１状態情報の説明を表す第１説明画像Ｔ１を表示させる。このため、ユーザーは、第１表示領域Ａ１２に表示される第１状態情報を短時間で認識できる。同様に、第２表示領域Ａ２の表示位置を変化させても、第２表示領域Ａ２２に表示される第２状態情報を短時間で認識できる。つまり、表示装置１００を搭載した車両の運転経験の有無及び運転期間の長短に関わらず、ユーザーは、表示領域に表示される状態情報を短時間で認識できる。
【００６４】
また、これらの構成によれば、それぞれの情報の説明を表す第１説明画像Ｔ１、第２説明画像Ｔ２、及び補助説明画像Ｔｃ、並びに説明された情報が表示される領域の範囲を表す第１範囲画像Ｆ１２、第２範囲Ｆ２２、及び補助範囲Ｆｃを表示させるため、ユーザーは、表示される情報の種類が増加しても、表示される種々の情報を混同することなく短時間で認識できる。
【００６５】
その後、切替指示信号取得部１６０は、図１の操作スイッチ４００から切替指示信号を取得する（ステップＳ４０）。次に、切替指示信号取得部１６０は、取得した切替指示信号が第２モードから第１モードへの切り替えを指示する信号か否かを判断する（ステップＳ４１）。
【００６６】
切替指示信号取得部１６０は、取得した信号が第２モードから第１モードへの切り替えを指示する信号でないと判断した後に（ステップＳ４１；Ｎｏ）、上記ステップＳ３５及びＳ３６の処理が繰り返される。
【００６７】
ステップＳ３６の後に、範囲表示制御部１８０は、表示部１０９の表示モードを第２モードとしてから指定時間だけ経過したと判断する（ステップＳ３７；Ｙｅｓ）。その後、範囲表示制御部１８０は、図７（ｄ）に示すように、第１範囲画像Ｆ１２、第２範囲画像Ｆ２２、及び補助範囲画像Ｆｃの表示をフェードアウト（つまり、終了）させるよう表示部１０９を制御する（ステップＳ４２）。次に、説明表示制御部１９０は、図７（ｄ）に示すように第１説明画像Ｔ１、第２説明画像Ｔ２、及び補助説明画像Ｔｃの表示をフェードアウト（つまり、終了）させるよう表示部１０９を制御する（ステップＳ４３）。
【００６８】
これらの構成によれば、図７（ａ）の第１表示領域Ａ１及び第２表示領域Ａ２の表示位置を移動させてから指定時間を経過した後に第１説明画像Ｔ１、第２説明画像Ｔ２、補助説明画像Ｔｃと、第１範囲画像Ｆ１２、第２範囲画像Ｆ２２、及び補助範囲画像Ｆｃとの表示を終了させるため、表示部１０９に表示させる情報量を削減できる。また、第１表示領域Ａ１及び第２表示領域Ａ２の表示位置を移動させてから指定時間内に、ユーザーが、変化後における第１表示領域Ａ１２及び第２表示領域Ａ２２の表示範囲、及び第１表示領域Ａ１２及び第２表示領域Ａ２２の表示内容を認識して記憶している場合に、既に記憶した範囲を表す画像及び内容を説明する画像の表示を再度受ける煩わしさをユーザーに生じさせ難くなる。
【００６９】
その後、切替指示信号取得部１６０は、再度、切替指示信号を取得する（ステップＳ４０）。次に、切替指示信号取得部１６０は、取得した信号が第２モードから第１モードへの切り替えを指示する信号であると判断する（ステップＳ４１；Ｙｅｓ）。
【００７０】
その後、図６（ａ）の情報表示制御部１５０は、補助情報の表示を終了するよう表示部１０９を制御する（ステップＳ４４）。次に、範囲表示制御部１８０は、補助範囲画像Ｆｃの表示を終了するよう表示部１０９を制御する（ステップＳ４５）。その後、説明表示制御部１９０は、補助説明画像Ｔｃの表示を終了するよう表示部１０９を制御する（ステップＳ４６）。
【００７１】
次に、範囲表示制御部１８０は、第１範囲画像Ｆ１２及び第２範囲画像Ｆ２２をフェードイン表示するよう表示部１０９を制御する（ステップＳ４７）。その後、説明表示制御部１９０は、第１説明画像Ｔ１及び第２説明画像Ｔ２をフェードイン表示するよう表示部１０９を制御する（ステップＳ４８）。
【００７２】
その後、変更表示制御部１７０は、図７（ｄ）に示す第１表示領域Ａ１２と第２表示領域Ａ２２とを拡大することで、補助情報の表示を終了した領域Ａｃに、第１表示領域Ａ１２の表示位置と第２表示領域Ａ２の表示位置とを移動（つまり、変更）させて、図７（ａ）に示すような表示をさせる第２変更表示制御処理を実行する（ステップＳ４９）。その後に、表示部１０９の表示モードは第１モードに戻り、図３のステップＳ２３から上記処理の実行が繰り返される。
【００７３】
本実施形態において、第１範囲画像Ｆ１及びＦ１２、第２範囲画像Ｆ２及びＦ２２、並びに補助範囲画像Ｆｃは、枠線を用いて第１表示領域Ａ１及びＡ１２、第２表示領域Ａ２及びＡ２２、並びに補助表示領域Ａｃの範囲をそれぞれ表示するとして説明した。しかし、第１範囲画像Ｆ１及びＦ１２、第２範囲画像Ｆ２及びＤ２２、並びに補助範囲画像Ｆｃは、それぞれ第１表示領域Ａ１及びＡ１２、第２表示領域Ａ２及びＡ２２、並びに補助表示領域Ａｃをユーザーに指定された色で塗りつぶした画像、又はそれぞれの領域Ａ１及びＡ１２、Ａ２及びＡ２２、並びにＡｃにおけるユーザーによって指定された背景画像であっても良い。
【００７４】
本実施形態において、図６（ａ）の情報表示制御部１５０は、第１状態情報と第２状態情報とを表示するよう表示部１０９を制御するとして説明した。しかし、情報表示制御部１５０は、図８（ａ）に示すように、表示面Ｄの中央部に表示された第１表示領域Ａ１３に第１状態情報を表示するよう表示部１０９を制御するが、第２状態情報を表示しないように制御してもよい。この場合に、図６（ａ）の変更表示制御部１７０は、図８（ｂ）に示すように、第１表示領域Ａ１３を表示方向に向かって右側へ移動させると共に、第１表示領域Ａ１３の移動により生じた左側の空領域（つまり、補助領域）に、補助情報を表示させても良い。また、図６（ａ）の範囲表示制御部１８０及び説明表示制御部１９０は、第１表示領域Ａ１３の移動後に、第１表示領域Ａ１３の第１範囲画像Ｆ１２及び第１説明画像Ｔ１と、補助領域の補助範囲画像Ｆｃ２及び補助説明画像Ｔｃ２とを表示するよう表示部１０９を制御しても良い。尚、情報表示制御部１５０は、カーナビゲーション装置から走行経路を表す走行経路画像Ｃｃ２のデータ（以下、走行経路情報という）を取得すると共に、取得した走行経路情報が表す走行経路画像Ｃｃ２を、補助領域に表示するよう表示部１０９を制御しても良い。
【００７５】
また表示装置１００の表示部１０９はフロントガラスの下方の表示パネルであり、図６（ａ）の情報表示制御部１５０が図８（ａ）に示すような表示をするよう表示部１０９を制御する場合に、変更表示制御部１７０は、図８（ｃ）に示すように第１表示領域Ａ１３を表示面Ｄの上側（つまり、フロントガラス側）へ移動させてもよい。この構成によれば、ユーザーは、少ない視線の移動で車速を確認できる。
【００７６】
また、情報表示制御部１５０は、図８（ｃ）に示すように、走行経路画像Ｃｃ３を補助範囲画像Ｆｃ３で表される補助領域の範囲内に表示するよう表示部１０９を制御する場合に、第１範囲画像Ｆ１３で表される領域に表示させる画像を、指針式のアナログ速度計を表す速度計表示画像Ｃ１からデジタル式の速度計を表す速度計表示画像Ｃ１３へ変更しても良い。デジタル式の速度計の方が、アナログ速度計と比べて少ない上下幅で車速を表示できるためである。
【００７７】
本実施形態において、図６（ａ）の情報表示制御部１５０は、予め定められた指示軌跡に沿って移動可能な指針によって車速を指し示すアナログ式速度計を表す図７（ａ）の速度計表示画像Ｃ１を表示部１０９に表示させることで、第１状態情報である車速を表示させると説明した。また、情報表示制御部１５０は、予め定められた他の指示軌跡に沿って移動可能な指針によってエンジン回転数を指示するアナログ式エンジン回転計を表す図７（ａ）の回転計表示画像Ｃ２を表示させることで、第２状態情報であるエンジンの回転数を表示させると説明した。しかしこれに限定される訳ではなく、情報表示制御部１５０は、速度計表示画像Ｃ１の中央位置に表示され、車両速度を指し示すデジタル速度計を表すデジタル速度計表示画像をさらに表示するよう表示部１０９を制御してもよい。また、情報表示制御部１５０は、速度計表示画像Ｃ１と回転計表示画像Ｃ２との間に、図１のＥＣＵ２００から取得した車両のシフトポジションを示す状態情報を、ＡＴインジケータ画像を用いてさらに表示するよう表示部１０９を制御してもよい。同様に、情報表示制御部１５０は、ＥＣＵ２００から取得した燃料の残量又はエンジンの水温を示す状態情報をさらに表示するよう表示部１０９を制御してもよい。
【００７８】
本実施形態において、図６（ａ）の範囲表示制御部１８０及び説明表示制御部１９０は、第１範囲画像Ｆ１及びＦ１２、第２範囲画像Ｆ２及びＦ２２、補助範囲画像Ｆｃ、第１説明画像Ｔ１、第２説明画像Ｔ２、並びに補助説明画像Ｔｃの表示を開始するよう表示部１０９を制御してから指定時間経過後に第１範囲画像Ｆ１及びＦ２、第２範囲画像Ｆ２及びＦ２２、補助範囲画像Ｆｃ、第１説明画像Ｔ１、第２説明画像Ｔ２、並びに補助説明画像Ｔｃの表示を終了するよう表示部１０９を制御するとして説明した。しかし、範囲表示制御部１８０及び説明表示制御部１９０は、第１範囲画像Ｆ１及びＦ１２、第２範囲画像Ｆ２及びＦ２２、補助範囲画像Ｆｃ、第１説明画像Ｔ１、第２説明画像Ｔ２、並びに補助説明画像Ｔｃの表示を続けてもよい。
【００７９】
本実施形態において、図６（ａ）の範囲表示制御部１８０及び説明表示制御部１９０は、変更表示制御部１７０が第１表示領域Ａ１及び第２表示領域Ａ２の表示位置を変更した後に、第１範囲画像Ｆ１２、第２範囲画像Ｆ２２、及び補助範囲画像Ｆｃ、並びに第１説明画像Ｔ１、第２説明画像Ｔ２、及び補助説明画像Ｔｃの表示を開始するよう表示部１０９を制御するとして説明した。しかし、図６（ａ）の範囲表示制御部１８０及び説明表示制御部１９０は、図３及び図４に示した表示制御処理の実行開始から終了まで、第１範囲画像Ｆ１及びＦ１２、第２範囲画像Ｆ２及びＦ２２、及び補助範囲画像Ｆｃ、第１説明画像Ｔ１、第２説明画像Ｔ２、並びに補助説明画像Ｔｃを表示するよう表示部１０９を制御してもよい。
【００８０】
本実施形態において、図１に示した表示装置１００の表示制御部１０１は、外部の表示部の表示を制御し、表示装置１００は、外部の表示部を制御する表示制御装置として機能してもよい。
【００８１】
尚、本発明に係る機能を実現するための構成を予め備えた表示装置又は表示制御装置として提供できることはもとより、プログラムの適用により、既存の表示装置又は表示制御装置を本発明に係る表示装置又は表示制御装置として機能させることもできる。すなわち、上記実施形態で例示した表示装置１００による各機能構成を実現させるための制御プログラムを、既存の表示装置又は表示制御装置を制御するコンピュータ（ＣＰＵなど）が実行できる様に適用することで、本発明に係る表示装置１００又は表示制御装置として機能させることができる。
【００８２】
このようなプログラムの配布方法は任意であり、例えば、メモリカード、ＣＤ−ＲＯＭ、又はＤＶＤ−ＲＯＭなどの記録媒体に格納して配布できる他、インターネットなどの通信媒体を介して配布することもできる。
【符号の説明】
【００８３】
１００                表示装置
１０１                表示制御部
１０１ａ              ＣＰＵ
１０１ｂ              ＲＯＭ
１０１ｃ              ＲＡＭ
１０１ｄ              入出力部
１０１ｅ              描画ＬＳＩ
１０１ｆ              グラフィックメモリ
１０９                表示部
１０９ａ              ＬＣＤ
１０９ｂ              バックライトモジュール
２００                ＥＣＵ
２１０                車速センサー
２２０                車両出力検出ユニット
２３０                水温センサー
２４０                燃料残量センサー
２５０                ギアポジション検出部
２６０                ナイトビューカメラ
３００                通信インターフェース
４００                操作スイッチ
Ａ１，Ａ１２，Ａ１３  第１表示領域
Ａ２，Ａ２２          第２表示領域
Ａｃ                  補助表示領域
Ｃ１，Ｃ１２，Ｃ１３  速度計表示画像
Ｃ２，Ｃ２２          回転計表示画像
Ｃｃ                  ナイトビュー
Ｃｃ２，Ｃｃ３        走行経路画像
Ｄ                    表示面
Ｆ１，Ｆ１２，Ｆ１３  第１範囲画像
Ｆ２，Ｆ２２，        第２範囲画像
Ｆｃ，Ｆｃ２，Ｆｃ３  補助範囲画像
Ｔ１                  第１説明画像
Ｔ２                  第２説明画像
Ｔｃ，Ｔｃ２          補助説明画像
【図１】
0005577735.tif 000002
【図２】
0005577735.tif 000003
【図３】
0005577735.tif 000004
【図４】
0005577735.tif 000005
【図５】
0005577735.tif 000006
【図６】
0005577735.tif 000007
【図７】
0005577735.tif 000008
【図８】
0005577735.tif 000009